(57)【要約】【課題】文具が商店等には陳列されているが、文具がキャラクターそのものと成り、且つ、アクション機能を備えると共に、同一キャラクターで異種文具を備える文具類は無かった。【解決手段】本発明は、片側文具本体１Ａと他側文具本体１Ｂとを合着させ基端に開口する基端開口部２と、先端開口部３と、文具固定用リブと、文具固定用リブに固定し先端文具機能部５ａと基端文具機能部５ｂとを突出させた文具５とを備え、基端文具機能部には文具操作機能を持たすと共にキャラクター文具１のパーツ部に形成し、パーツ部を操作することによりキャラクター文具の他のパーツ部を連動させて可動させる可動手段を介装し、更に、ノック用杆開口部８と、ノック用杆９と、ノック用杆と文具との間に基端文具機能部の文具操作機能と連動して可動する連動手段１０とを備えた。【選択図】図１
2004299094.tif 000002
【特許請求の範囲】
【請求項１】
長手方向に２分割された片側文具本体と他側文具本体とを合着手段を介して合着させると共に外装をキャラクター化したキャラクター文具において、片側文具本体と他側文具本体とを合着させ基端に開口する基端開口部と、片側文具本体と他側文具本体とを合着させ先端に開口する先端開口部と、片側文具本体と他側文具本体との前記基端開口部と前記先端開口部との間の左右に夫々立設した文具固定用リブと、該文具固定用リブに固定し前記先端開口部から先端文具機能部を前記基端開口部から基端文具機能部を夫々突出させた文具とを備え、前記先端文具機能部には筆記等の文具機能を持たせ、前記基端文具機能部には文具操作機能を持たすと共に外形をキャラクター文具のパーツ部に形成し、該キャラクター文具のパーツ部を操作することによりキャラクター文具の他のパーツ部を連動させて可動させる可動手段を介装したことを特徴とするアクション付同一キャラクター異種文具。
【請求項２】
前記片側文具本体又は前記他側文具本体かに開口するノック用杆開口部と、該ノック用杆開口部に先端を突出させて枢動可能に貫設したノック用杆と、該ノック用杆の基端と前記文具との間に基端文具機能部の文具操作機能と連動して可動する連動手段とを備えたことを特徴とする請求項１に記載のアクション付同一キャラクター異種文具。
【発明の詳細な説明】
【０００１】
【産業上の利用分野】
本発明は、アクションをする同一のキャラクターを外装に備えた異種文具に関するものであり、更に詳細には、同一のキャラクターを文具の外装に施すと共に内部構造も同一にして、内装する文具を交換するだけで異種の文具と成る生産性を向上させると共にキャラクター文具の一部が可動してアクションをすることから人目を引くアクション付同一キャラクター異種文具に関するものである。
【０００２】
【従来技術】
従来から、キャラクターを各種の文具の外装に形成したものは既に多数が開発され市販されており、更に、異種の文具を備えて且つキャラクターを備えたものも開示されており、例えば、ボールペンとスタンプとを備え、且つ、キャップにキャラクターを形成しているもの（特許文献１参照）や、又、筆記具の突出操作によって特異な作動をさせるキャラクターを付設したもの（特許文献２参照）や、筆記芯の出没操作によって可動するキャラクター部を備えたシャープペンシル（特許文献３参照）等が開示されている。
【０００３】
【特許文献１】
特開平８ー１８７３６５号公報（図２）
【特許文献２】
登録実用新案３０１１３４０号公報（図１）
【特許文献３】
登録実用新案３０３３６２７４号公報（図１）
【０００４】
【解決しようとする課題】
然し乍ら、昨今文具は多様化しており、夫々工夫を凝らしたシャープペン、ポールペン、フエルトペン、マーカーペン等の文具が商店等には陳列されているが、あまり代わり映えしなく、マンネリ化しており、更に、キャラクターを一部に備えた文具も多数販売されているが、一つの文具の一部が一つ又は複数のキャラクターに成っているものであって、文具の全体がキャラクターそのものと成り、且つ、アクション機能を備えると共に、同一キャラクターで異種文具を備える文具類は無かった。
【０００５】
【課題を解決するための手段】
本発明は、前述の課題に鑑み、鋭意研鑽の結果、請求項１に記載のアクション付同一キャラクター異種文具は、片側文具本体と他側文具本体とを合着手段を介して合着させると共に外装をキャラクター化したキャラクター文具において、片側文具本体と他側文具本体とを合着させ基端に開口する基端開口部と、片側文具本体と他側文具本体とを合着させ先端に開口する先端開口部と、片側文具本体と他側文具本体との基端開口部と先端開口部との間の左右に夫々立設した文具固定用リブと、文具固定用リブに固定し先端開口部から先端文具機能部を基端開口部から基端文具機能部を夫々突出させた文具とを備え、先端文具機能部には筆記等の文具機能を持たせ、基端文具機能部には文具操作機能を持たすと共に外形をキャラクター文具のパーツ部に形成し、キャラクター文具のパーツ部を操作することによりキャラクター文具の他のパーツ部を連動させて可動させる可動手段を介装したものである。
【０００６】
更に、請求項２に記載のアクション付同一キャラクター異種文具は、請求項１に記載のアクション付同一キャラクター異種文具において、片側文具本体又は他側文具本体かに開口するノック用杆開口部と、ノック用杆開口部に先端を突出させて枢動可能に貫設したノック用杆と、ノック用杆の基端と文具との間に基端文具機能部の文具操作機能と連動して可動する連動手段とを備えたものである。
【０００７】
【発明の作用】
本発明のアクション付同一キャラクター異種文具は、外装をキャラクター化した片側文具本体と他側文具本体とを合着手段を介して合着させる文具において、文具の基端開口部及び先端開口部から先端文具機能部と基端文具機能部を突出させると共に、文具固定用リブの間にシャープペン又はボールペン又はフエルトペン又はマーカーペン等の文具を内装させたものであって、文具の外装に同一キャラクターを備えると共に内部構造も同一構造にすることによって内装する文具を交換するだけで外装が同じ異種の文具と成るものであり、更に、可動手段を内装させていることからキャラクター文具のパーツ部とした基端文具機能部を操作することによってキャラクター文具の他のパーツ部が可動するものである。
【０００８】
従って、本発明の目的は、キャラクター文具のパーツ部を可動させることによって他のパーツ部が可動し、且つ、外装は同一キャラクターで複数の異種文具を提供できるもので、つまり、一つの可動するキャラクターを備えた外装でシャープペン、ボールペン、フエルトペン、マーカーペン等の異種文具を提供するものである。
【０００９】
【発明の実施の形態】
以下、本発明のアクション付同一キャラクター異種文具の実施の形態の図面によって具体的に説明する。
【００１０】
図１は本発明のアクション付同一キャラクター異種文具の実施の形態のブタのキャラクター文具の説明のための正面図と断面図であり、図２は本発明のアクション付同一キャラクター異種文具の実施の形態のブタのキャラクター文具の可動した状態の正面図と断面図であり、図３は本発明のアクション付同一キャラクター異種文具の次実施の形態のブタのキャラクター文具の説明のための正面図と断面図であり、図４は本発明のアクション付同一キャラクター異種文具の次実施の形態のブタのキャラクター文具の可動した状態の正面図と断面図である。
【００１１】
本発明は、アクションをする同一のキャラクターを外装に備えた異種文具に関するものであり、更に詳細には、同一のキャラクターを文具の外装に施すと共に内部構造も同一にして、内装する文具を交換するだけで異種の文具と成る生産性を向上させると共にキャラクター文具の一部が可動してアクションをすることから人目を引く同一キャラクター異種文具に関するものであり、請求項１に記載のアクション付同一キャラクター異種文具は、長手方向に２分割された片側文具本体１Ａと他側文具本体１Ｂとを合着手段を介して合着させると共に外装をキャラクター化したキャラクター文具１において、片側文具本体１Ａと他側文具本体１Ｂとを合着させ基端に開口する基端開口部２と、片側文具本体１Ａと他側文具本体１Ｂとを合着させ先端に開口する先端開口部３と、片側文具本体１Ａと他側文具本体１Ｂとの前記基端開口部２と前記先端開口部３との間の左右に夫々立設した文具固定用リブ４と、該文具固定用リブ４に固定し前記先端開口部３から先端文具機能部５ａを前記基端開口部２から基端文具機能部５ｂを夫々突出させた文具５とを備え、前記先端文具機能部５ａには筆記等の文具機能を持たせ、前記基端文具機能部５ｂには文具操作機能を持たすと共に外形をキャラクター文具１のパーツ部に形成し、該キャラクター文具１のパーツ部を操作することによりキャラクター文具１の他のパーツ部６を連動させて可動させる可動手段７を介装したものである。
【００１２】
更に、請求項２に記載のアクション付同一キャラクター異種文具は、請求項１に記載のアクション付同一キャラクター異種文具において、前記片側文具本体１Ａ又は前記他側文具本体１Ｂかに開口するノック用杆開口部８と、該ノック用杆開口部８に先端を突出させて枢動可能に貫設したノック用杆９と、該ノック用杆９の基端と前記文具５との間に基端文具機能部５ｂの文具操作機能と連動して可動する連動手段１０とを備えたものである。
【００１３】
即ち、本発明のアクション付同一キャラクター異種文具の実施の形態のキャラクター文具１の外装は、図１乃至図４に図示する如く、ブタのキャラクター文具１としているものであるが、キャラクターなら特に限定するものでなく、イヌやウサギやクマ、ネコ等の動物、女の子、男の子等の象形デザインが考慮されるものであるが、長手方向が明確な形状のものが好適なものである。
【００１４】
そして、キャラクター文具１は片側文具本体１Ａと他側文具本体１Ｂと長手方向に２分割されるものであり、合着手段を介して合着させており、合着手段は片側文具本体１Ａ又は他側文具本体１Ｂの何れかに円筒状リブを立設して、該円筒状リブと合致する位置の片側文具本体１Ａ又は他側文具本体１Ｂの何れかに前記円筒状リブと嵌合する円筒状リブ又は円柱状リブを立設させたり、合着手段は係着させても接着剤によって貼着させても構わないものである。
【００１５】
次に、基端開口部２は片側文具本体１Ａと他側文具本体１Ｂとの基端に開口させたもので、片側文具本体１Ａと他側文具本体１Ｂとに夫々半円形状又は半楕円形状に形成しており、片側文具本体１Ａと他側文具本体１Ｂとを合着させることによって円形状又は楕円形状に成り、基端開口部２には後述する文具５の基端文具機能部５ｂを挿通させる共に支持させるものである。
【００１６】
次いで、先端開口部３は片側文具本体１Ａと他側文具本体１Ｂとの先端に開口させたもので、片側文具本体１Ａと他側文具本体１Ｂとを合着させることによって円形状に成り、前記基端開口部２より若干小径に形成し、先端開口部３には後述する文具５の先端文具機能部５ａを挿通させると共に支持させるものである。
【００１７】
更に、文具固定用リブ４は片側文具本体１Ａと他側文具本体１Ｂとの前記基端開口部２と前記先端開口部３との間の両側に夫々立設させており、夫々の文具固定用リブ４の間には後述する文具５を挿入して固定するものであり、後述する可動手段７を内装することから先端方向に寄せて形成することが望ましいものである。
【００１８】
更には、文具５は図示する実施の形態ではシャープペンであるが、ボールペン、フエルトペン、マーカーペン等と自在に交換でき、文具５の基端をノックすることにより先端にペンや芯が出没するものである。
【００１９】
そして、先端文具機能部５ａにはキャラクター文具１の先端開口部３から突出させて筆記等の文具機能を持たすものであり、シャープペンやボールペンの芯や、フエルトペン、マーカー等の先端の筆記部であり、筆記する文具５としての機構を有するものである。
【００２０】
更に、基端文具機能部５ｂにはキャラクター文具１の基端開口部２から突出させて押圧することによって操作するノック操作等の文具操作機能を持たすと共に、基端文具機能部５ｂの外形をキャラクター文具１のブタの鼻等のパーツ部に形成しているものである。
【００２１】
次いで、可動手段７はキャラクター文具１のパーツ部、つまり、基端文具機能部５ｂを操作することによりキャラクター文具１の他のパーツ部６を連動させて可動させるようにしたもので、片側文具本体１Ａと他側文具本体１Ｂとの間に内装させるものである。
【００２２】
更には、可動手段７は各種考慮されるものであり、基端文具機能部５ｂを操作することにより連動してキャラクター文具１の他のパーツ部６が摺動、又は、枢動、回動するものであれば構わないものである。
【００２３】
次に、可動手段７の図１乃至図２に図示する実施の形態では、片側文具本体１Ａに駆動用杆枢動用ピン７ａを立設させ、該駆動用杆枢動用ピン７ａに略Ｌ字状の駆動用杆７ｂの屈曲部分を枢動可能に枢着し、駆動用杆７ｂの長辺の端部とブタの鼻の形状に形成したキャップ状の基端文具機能部５ｂとを基端側枢動軸７ｃで枢着させ、駆動用杆７ｂの短辺の先端と他のパーツ部６との接続杆７ｄとを先端側枢動軸７ｅで枢着させており、基端文具機能部５ｂをノックすることにより他のパーツ部６が出没するものであり、つまり、ブタのキャラクター文具１の鼻を押すことによりブタのキャラクター文具１の耳が出没するものである。
【００２４】
次いで、可動手段７の図３乃至図４に図示する次実施の形態では、片側文具本体１Ａの他のパーツ部６の近傍に枢動杆用固定ピン７ｆを立設させ、該枢動杆用固定ピン７ｆに他のパーツ部６と長板状の枢動杆７ｇを固着し、該枢動杆７ｇの基端にＵ字状の摺動用切欠部７ｈを形成し、該摺動用切欠部７ｈに筆記部の基端文具機能部５ｂをノックすることにより共に摺動する文具５の外周に突設した文具側枢動ピン７ｉを挿通させたもので、基端文具機能部５ｂをノックすることにより他のパーツ部６が回動するものであり、つまり、ブタのキャラクター文具１の鼻を押すことによりブタのキャラクター文具１の耳が回動するものである。
【００２５】
更に、次実施の形態の連動手段１０とは、文具５の基端文具機能部５ｂをノックすることにより共に摺動をするものであり、ノック用杆開口部８は他側文具本体１Ｂの下方に開口させており、つまり、ブタのキャラクター文具１のお腹に開口させているものである。
【００２６】
そして、ノック用杆９は棒状のもので先端をノック用杆開口部８から突出させると共に、ノック用杆開口部８に支持され摺動自在なものである。
【００２７】
次に、作動部１０ａは略Ｌ字状のもので、作動部１０ａの屈曲部を片側文具本体１Ａに突設した枢動ピン１０ｂに枢着すると共に、作動部１０ａの片側をノック用杆９の基端と基端枢動ピン１０ｃで枢着し、作動部１０ａの他側にＵ字状のノック用切欠部１０ｄを形成し、該ノック用切欠部１０ｄを文具５に突設した文具側枢動ピン７ｉに挿通させているものである。
【００２８】
つまり、ブタのキャラクター文具１のお腹に突出させたノック用杆９をノックすることにより連動手段１０により文具５が連動してノック状態となり、キャラクター文具１のパーツ部である基端文具機能部５ｂが進退すると共に、キャラクター文具１の他のパーツ部６も回動するものである。
【００２９】
【発明の効果】
本発明のアクション付同一キャラクター異種文具は、前述の構成により、外装をキャラクター化した片側文具本体と他側文具本体とを合着させた文具において、文具の基端開口部と先端開口部と文具固定用リブとを利して、シャープペン又はボールペン又はフエルトペン又はマーカーペン等を内装させたものであって、文具の外装に同一キャラクターを備えると共に内部構造も同一構造にすることによって内装する文具を交換するだけで外装が同じ異種の文具と成るものであり、更に、可動手段、連動手段を介装したことより、キャラクター文具の鼻を押すと耳が動く等のユニークな文具であり、画期的で人目を引くものとなり、且つ、実用性の高い発明である。
【図面の簡単な説明】
【図１】図１は本発明のアクション付同一キャラクター異種文具の実施の形態のブタのキャラクター文具の説明のための正面図と断面図である。
【図２】図２は本発明のアクション付同一キャラクター異種文具の実施の形態のブタのキャラクター文具の可動した状態の正面図と断面図である。
【図３】図３は本発明のアクション付同一キャラクター異種文具の次実施の形態のブタのキャラクター文具の説明のための正面図と断面図である。
【図４】図４は本発明のアクション付同一キャラクター異種文具の実施の形態のブタのキャラクター文具の可動した状態の正面図と断面図である。
【符号の説明】
１      キャラクター文具
１Ａ    片側文具本体
１Ｂ    他側文具本体
２      基端開口部
３      先端開口部
４      文具固定用リブ
５      文具
５ａ    先端文具機能部
５ｂ    基端文具機能部
６      他のパーツ部
７      可動手段
７ａ    駆動用杆枢動用ピン
７ｂ    駆動用杆
７ｃ    基端側枢動軸
７ｄ    駆動用杆
７ｅ    先端側枢動軸
７ｆ    枢動杆用固定ピン
７ｇ    枢動杆
７ｈ    摺動用切欠部
７ｉ    文具側枢動ピン
８      ノック用杆開口部
９      ノック用杆
１０    連動手段
１０ａ  作動部
１０ｂ  枢動ピン
１０ｃ  基端枢動ピン
１０ｄ  ノック用切欠部
【図１】
2004299094.tif 000003
【図２】
2004299094.tif 000004
【図３】
2004299094.tif 000005
【図４】
2004299094.tif 000006